(57)【要約】【課題】高価な石材の利用を低減することはもちろん、内部が空洞となって軽量化されているため運搬や簡単で施工もしやすく、しかも所定のデザインを施した化粧層により高級感を備えさせたコンクリート製墓石を提供しようとするものである。【解決手段】筒状本体および天板をコンクリートで中空かつ一体的に形成するとともに、筒状本体および天板の表面に化粧層を設けたことを特徴とするコンクリート製墓石。【選択図】　　　　　図２
2004052236.tif 000002
【特許請求の範囲】
【請求項１】
筒状本体および天板をコンクリートで中空かつ一体的に形成するとともに、筒状本体および天板の表面に化粧層を設けたことを特徴とするコンクリート製墓石。
【請求項２】
化粧層が、筒状本体および天板の表面の全面または部分的に貼付した石材、タイル、レンガからなる請求項１に記載のコンクリート製墓石。
【請求項３】
化粧層が、筒状本体および天板の表面の全面または部分的に形成した着色層からなる請求項１に記載のコンクリート製墓石。
【請求項４】
化粧層が、筒状本体および天板の表面に形成したカット模様からなる請求項１に記載のコンクリート製墓石。
【発明の詳細な説明】
【０００１】
【発明の属する技術分野】この発明は、従来非常に高価であった石材製の墓石を、コンクリート製として低廉な墓石を提供するために開発したものであり、製造が容易で量産性に富み、しかも所定のデザインを施した化粧層により高級感を備えたコンクリート製墓石に関する。
【０００２】
【従来の技術】従来の墓石は、石材を用いて主に角柱状に形成され、かつ石材の表面を磨いて装飾性を高めたものとなっている。そして上記石材としては、硬質で風化に強いということが良い墓石の条件である。このような墓石として最も多く用いられるのは、御影石（みかげいし）と呼ばれる花崗岩（かこうがん）であり、安山岩、閃緑岩なども多く用いられる。
【０００３】一方、登録実用新案第３０６４０９１号公報に示すような空洞墓標が提案されている。この空洞墓標は、空洞のコンクリート角柱の外面に石版を接着剤で貼付したものであり、コンクリート角柱の上端にも石版を接着して角柱状としている。
【０００４】
【発明が解決しようとする課題】しかしながら、石材からなる墓石は重量がかさむため運搬が困難であり、多量の石材を利用することとなって資源の無駄遣いというべきである。
【０００５】また、上記登録実用新案第３０６４０９１号公報に示す空洞墓標においては、確かに内部が空洞となって軽量化されているため運搬や簡単で施工もしやすいというメリットがある。しかしながら、上記従来例の空洞墓標は、空洞のコンクリート角柱の外面に石版を接着剤で貼付し、かつコンクリート角柱の上端にも石版を接着して角柱状としたもので、コンクリート角柱の外面の石版どうしの接合部分や、空洞のコンクリート角柱の上端と石版との接合部分の処理が面倒であり、商品価値を損なう結果となりがちである。
【０００６】そこでこの発明の目的は、高価な石材の利用を低減することはもちろん、内部が空洞となって軽量化されているため運搬や簡単で施工もしやすく、しかも所定のデザインを施した化粧層により高級感を備えさせたコンクリート製墓石を提供しようとするものである。
【０００７】
【課題を解決するための手段】すなわち、この発明のコンクリート製墓石は、筒状本体および天板をコンクリートで中空かつ一体的に形成するとともに、筒状本体および天板の表面に化粧層を設けたことを特徴とするものである。
【０００８】この発明のコンクリート製墓石は、上記化粧層が、筒状本体および天板の表面の全面または部分的に貼付した石材、タイル、レンガからなることをも特徴としている。
【０００９】この発明のコンクリート製墓石は、上記化粧層が、筒状本体および天板の表面の全面または部分的に形成した着色層からなることをも特徴としている。
【００１０】この発明のコンクリート製墓石は、上記化粧層が、筒状本体および天板の表面に形成したカット模様からなることをも特徴としている。
【００１１】この発明は以上のように構成したので、高価な石材の利用を低減することはもちろん、内部が空洞となって軽量化されているため運搬が容易で現場施工もしやすく、しかも所定のデザインを施した化粧層により高級感を備えたコンクリート製墓石を提供することができるようになった。
【００１２】
【発明の実施の形態】以下、この発明のコンクリート製墓石の実施の形態を図面に基いて詳細に説明する。
図１はこの発明のコンクリート製墓石の型枠の概略断面図、図２は得たコンクリート製墓石に化粧層を施した状態を示す断面図、図３は他の実施例を示す断面図、図４はさらに別の実施例を示す断面図である。
【００１３】この発明のコンクリート製墓石は、図１に示すような型枠を用いて成形することができる。すなわち、コンクリート注型用型枠１１はほぼ中央に空洞形成用の柱状中子１３を立設した基枠１２と、基枠１２上に柱状中子１３との間に所定の間隙を形成するよう搭載される、上面が閉鎖した筒状の外枠１４とで構成されている。そして上記基枠１２上に外枠１４をセットし、外枠１４の適所に設けた注入口１５からコンクリートモルタルを注入することにより、コンクリート注型用型枠１１内にコンクリートが充填され、これを養生したのち脱型することによってこの発明のコンクリート製墓石の墓石本体を得ることができるのである。
【００１４】図２に示すように、得た墓石本体２１にはその表面に石材、タイル、レンガ、その他の素材を加工して得た化粧パネル２２が所定の間隔で貼付される。この化粧パネル２２としては、例えば石材であれば、御影石（みかげいし）と呼ばれる花崗岩（かこうがん）や、安山岩、閃緑岩が好適に用いられる。またタイルとしては一般にタイルと呼ばれる素材のほか、陶板その他のセラミック素材を用いたもの等であってもよく、釉薬等によって適宜の装飾性を付与することができる。もちろん、レンガその他の無機系素材を利用することも可能である。
【００１５】上記化粧パネル２２を墓石本体２１への取付に際しては、適宜接着剤を使用して貼付することができる。このような用途の接着剤としては、エポキシ系、イソシアネート系、ウレタン系その他のコンクリートと石材類とのなじみのよい素材を利用することが望ましい。
【００１６】得たコンクリート製墓石は、墓石本体２１の内部が空洞であるため軽量で、しかも化粧パネル２２によって極めて高い装飾性を備えているため高級感も備えている、非常に付加価値の高いものとなった。上記墓石本体２１の断面形状は、正方形のみならず、長方形その他の形状であってもよいことはもちろんである。
【００１７】図３の実施例では、上記コンクリート注型用型枠１１の外枠１４内面に、予め化粧パネルに対応する突部を形成しておき、それを墓石本体３１に転写することにより、得た墓石本体３１にはその表面に化粧パネルに対応する凹部３２が形成されている。その後、上記凹部３２内に石材、タイル、レンガ、その他の素材を加工して得た化粧パネル３３が埋設されるのである。上記化粧パネル３３を墓石本体３１へ取り付けるに際しては、上記接着剤のみならず、目地材をも使用して貼付することができる。
【００１８】また図４の実施例では、上記コンクリート注型用型枠１１の外枠１４内面に、予め所定のデザインに対応する凹凸を形成しておき、それを墓石本体４１に転写することにより、得た墓石本体４１にはその表面に所定のデザインの凹凸４２が形成されている。所定のデザインの凹凸４２としては種々の幾何学的模様や、埋葬者の好きだったものの絵柄、星座、その他適宜の模様を描くことができる。
【００１９】図示はしないが、この発明の化粧層として、予めコンクリートの成形時に墓石本体に着色剤を混入して、墓石本体表面に化粧層として現出させたり、墓石本体の表面に着色材を塗布あるいは積層して、墓石本体表面に化粧層を形成することができる。もちろんその際、種々の幾何学的模様や、埋葬者の好きだったものの絵柄、星座、その他適宜の模様を描くことができる。
【００２０】
【発明の効果】この発明は以上のように構成したので、高価な石材の利用を低減することはもちろん、内部が空洞となって軽量化されているため運搬が容易で現場施工もしやすく、しかも所定のデザインを施した化粧層により高級感を備えたコンクリート製墓石を提供することができるようになった。
【００２１】またコンクリート製墓石を角柱状等に形成される筒状部分と上部とを一体的に成形することとしたので、製作が簡単であることはもちろん、表面の化粧層が無理なく形成でき、非常に高級感のある墓石を提供することができる。
【００２２】以上のようなコンクリート製墓石の用途としては、一般の墓地における埋葬者の墓石としてのみならず、ペット類や記念碑、顕彰碑等があり、基本的な構造を共通にして、各種用途に使用可能なコンクリート製墓石を提供することができる。
【図面の簡単な説明】
【図１】この発明のコンクリート製墓石の型枠の概略断面図である。
【図２】得たコンクリート製墓石に化粧層を施した状態を示す断面図である。
【図３】他の実施例を示す断面図である。
【図４】さらに別の実施例を示す断面図である。
【符号の説明】
１１　コンクリート注型用型枠
１２　基枠
１３　柱状中子
１４　外枠
１５　注入口
２１　墓石本体
２２　化粧パネル
３１　墓石本体
３２　凹部
３３　化粧パネル
４１　墓石本体
４２　凹凸
【図１】
2004052236.tif 000003
【図２】
2004052236.tif 000004
【図３】
2004052236.tif 000005
【図４】
2004052236.tif 000006